【手続補正書】
【提出日】平成31年2月6日(2019.2.6)
【手続補正１】
【補正対象書類名】特許請求の範囲
【補正対象項目名】全文
【補正方法】変更
【補正の内容】
【特許請求の範囲】
【請求項１】
取付面２２用の係合手段２４を有するハウジング２０を備え、
該ハウジング２０にはセンサー３０を内設し、該センサー３０は該センサー３０の範囲３４により定まるインタラクティブゾーン３２を形成し、該センサー３０は加速度計であり、該インタラクティブゾーン３２は該取付面２２と合わせると共に前記ハウジングの周囲の外側の該取付面２２上に重ね、該センサー３０は該係合手段２４に対する関係で固定された位置にあり、該インタラクティブゾーン３２内の該取付面２２と関連する接触インタラクション６０は該センサー３０によりデータ信号７０として検知され、該接触インタラクション６０は該取付面に対するインパクトよりなり、該データ信号は該接触インタラクションの振動データよりなり、
該センサー３０とコミュニケーションを行うサーバー４０を備え、該サーバーは、ルーティングモジュール４４と、該ルーティングモジュール４４に接続された処理モジュール４６と、該処理モジュール４６に接続された出力モジュール４８とを有し、該ルーティングモジュール４４は該センサー３０からデータ信号７０を受け取り、該処理モジュール４６は接触インタラクション６０のデータ信号７０に対応するデータパターン８０を決定すると共に該データパターン８０をジェスチャープロファイル９０と一致させ、該ジェスチャープロファイル９０はコマンドと関連させ、
端末装置５０を備え、該端末装置５０は受信モジュール５２と該コマンドに対応する該端末装置５０の活動を開始させる手段とを有し、該端末装置５０は該サーバー４０とコミュニケーションを行い、該出力モジュール４８は該コマンドを該受信モジュール５２に伝達し、
前記ハウジングの係合手段は、該ハウジングを前記取付面に取り付ける取付手段と、
前記センサーを該ハウジングの取付手段に接続すると共に取付面に対するセン
サーの位置を厳格ならしめるように該取付面と異なる可撓性を有する材料
よりなる伝達部とを備え、前記接触インタラクションは該伝達部を介して該セ
ンサーのデータ信号を生成するようにした制御システム１０。
【請求項２】
前記センサー３０のインタラクティブゾーン３２は前記取付面２２に合わせ、該インタラクティブゾーン３２は該取付面２２と同一平面上にあるようにした請求項１に記載の制御システム１０。
【請求項３】
前記伝達部２８は、前記接触インタラクション６０の減衰を小さくするようにバネ装着部を備えている請求項１に記載の制御システム１０。
【請求項４】
前記接触インタラクション６０は前記取付面２２に対するインパクトよりなり、前記データ信号７０は、各インパクトに対応するそれぞれ規定されたピークと、規定された最後のピーク後の規定された期間とを有し、前記データパターン８０は、規定された各ピークと、当該規定された最後のピーク後の当該規定された期間とを有する請求項１に記載の制御システム１０。
【請求項５】
前記接触インタラクション６０は取付面２２に対する複数のインパクトよりなり、前記データ信号７０は、各インパクトに対応するそれぞれ規定されたピークと、規定された各ピーク間の測定された期間と、規定された最後のピーク後の規定された期間とを有し、前記データパターン８０は、規定された各ピークと、測定された各期間と、当該規定された最後のピーク後の当該規定された期間とよりなる請求項１に記載の制御システム１０。
【請求項６】
更に、前記ハウジング２０内に追加のセンサー１３０を備え、当該追加のセンサー１３０は当該追加のセンサー１３０の追加の範囲１３４により規定される追加のインタラクティブゾーン１３２を形成し、当該追加のインタラクティブゾーン１３２は前記取付面２２に合わせ、当該追加のセンサー１３０は前記係合手段２４に関して固定された位置にあり、前記サーバー４０は当該追加のセンサー１３０とコミュニケーションを行い、
当該追加のインタラクティブゾーン１３２内の取付面２２と関連する前記接触インタラクション６０は、追加のデータ信号１７０として当該追加のセンサー１３０により検知され、
前記処理モジュール４６は、前記センサー３０のデータ信号７０と前期追加のセンサー１３０の追加のデータ信号１７０とに対応するデータパターン８０を決定するようにした請求項１に記載の制御システム１１０。
【請求項７】
前記センサー３０のインタラクティブゾーン３２は前記追加のセンサー１３０の追加のインタラクティブゾーン1３２と重複するようにした請求項６に記載の制御システム１１０。
【請求項８】
前記端末装置５０は、テレビジョンと、サーモスタットと、コンピュータと、ソフトウエアシステムと、ゲーム機と、ファンと、マットレス調節器と、目覚まし時計と、照明器具とよりなる群から選択した一つの装置である請求項１に記載の制御システム１０。
【請求項９】
更に、追加の端末装置を有し、当該追加の端末装置は追加の受信モジュールと追加のコマンドに対応して当該追加の端末装置の活動を開始させるための追加の手段とを備え、当該追加の端末装置は前記サーバーとコミュニケーションを行い、前記出力モジュールは当該追加のコマンドを当該追加の受信モジュールに伝達するようにした請求項１に記載の制御システム１０。
【請求項１０】
係合手段２４によりハウジング２０を取付面２２に取り付け、該ハウジング２０は該ハウジング２０に内設されたセンサー３０を有し、該センサーは加速度計であり、該センサー３０は該センサー３０の範囲３４により規定されるインタラクティブゾーン３２を形成し、該インタラクティブゾーン３２は該取付面２２と合わせると共に前記ハウジングの周囲の外側の該取付面２２上に重ね、
該センサー３０は該係合手段２４に関して固定された位置にあり、
前記ハウジングの係合手段は、該ハウジングを前記取付面に取り付ける取付手段と、
前記センサーを該ハウジングの取付手段に接続すると共に取付面に対するセン
サーの位置を厳格ならしめるように該取付面と異なる可撓性を有する材料より
なる伝達部とを備え、
該センサー３０とコミュニケーションを行うサーバー４０を接続し、該サーバー４０はルーティングモジュール４４と、該ルーティングモジュール４４に接続された処理モジュール４６と、該処理モジュール４６に接続された出力モジュール４８とを備え、
該サーバー４０とコミュニケーションを行う端末装置５０を接続し、該端末装置５０は受信モジュール５２を有し、
接触インタラクション６０を生成するように取付面２２に物理的インパクトを与え、
前記センサー３０に該接触インタラクション６０をデータ信号７０として検知させ、前記データ信号は前記接触インタラクションの振動データであり、該接触インタラクションは前記伝達部を介して前記センサーのデータ信号を生成し、
前記サーバー４０のルーティングモジュール４４に該センサー３０からのデータ信号７０を受信させ、
該接触インタラクション６０のデータ信号７０に対応するデータパターン８０を前記処理モジュール４６に決定させ、
該データパターン８０を該処理モジュール４６によりスチャープロファイル９０と一致させ、該ジェスチャープロファイル９０はコマンドと関連付けられ、
該サーバー４０の出力モジュール４８により該コマンドを端末装置５０の受信モジュール５２に伝達させ、該コマンドは該端末装置５０の活動に対応し、
該端末装置５０に該活動を行わせる、
以上のステップを有する端末装置５０を制御する方法。
【請求項１１】
前記取付面２２に物理的インパクトを与えるステップは、該取付面２２に複数の物理的インパクトを与え、前記接触インタラクション６０は二つ以上の物理的インパクトに関連することを含む請求項１０に記載の端末装置５０を制御する方法。
【請求項１２】
前記ハウジング２０は更に追加のセンサー１３０を備え、当該追加のセンサー１３０は前記サーバー４０に接続され、
前記センサー３０に前記接触インタラクション６０をデータ信号７０として検知させるステップは、更に、当該追加のセンサー１３０により該接触インタラクション６０を追加のデータ信号１７０として検知させることを含み、
前記ルーティングモジュール４４に前記センサー３０からのデータ信号７０を受信させるステップは、更に、該ルーティングモジュール４４に当該追加のセンサー１３０からの当該追加のデータ信号１７０を受信させることを含み、
前記データパターン８０を決定するステップは、更に、前記データ信号７０と当該追加のデータ信号１７０とに対応するデータパターン８０を前記処理モジュール４６に決定させることを含む請求項１０に記載の端末装置５０を制御する方法。
【請求項１３】
前記取付面２２に物理的インパクトを与えるステップは、更に、該取付面２２に複数の物理的インパクトを与えることを含み、前記接触インタラクション６０は二つ以上の物理的インパクトに関連するようにした請求項１２に記載の端末装置５０を制御する方法。
【手続補正２】
【補正対象書類名】明細書
【補正対象項目名】００３６
【補正方法】変更
【補正の内容】
【００３６】
本発明の制御システム１０は、図３〜４に示すように、センサー３０を有する。ハウジング２０は、フラッシュメモリー３１とマイクロコントローラユニット（ＭＣＵ）３３とセンサーユニット３５とアンテナ３７と発光ダイオード３９とを有するプリント回路基板３４’よりなるセンサー３０を備えている。センサーユニット３５は加速度センサー又は音響センサーである。マイクロコントローラユニット３３とアンテナ３７は、サーバー４０とのコミュニケーションのためのＷｉＦｉ機能を有する。センサー３０のセンサーユニット３５とハウジング２０の伝達部２８との関係が示されている。センサー３０の厳格な位置は、センサー３０に対する接触インタラクションの伝達を確立する。ハウジング２０内の他の部品としては、制御システム１０用の既知の電源としてのバッテリー３６が含まれる。ハウジング２０とセンサー３０との安定した構造は、ジェスチャーを端末装置５０に対するコマンドに正確かつ効率的に変換することを可能ならしめる。
【手続補正３】
【補正対象書類名】明細書
【補正対象項目名】００３９
【補正方法】変更
【補正の内容】
【００３９】
ハウジング２０の係合手段２４は、いかなる接触インタラクションも係合手段２４の伝達部２８を介してセンサー３０のデータ信号を生成するように該センサー３０と協同する。音又は振動としての接触インタラクションの減衰は小さい。伝達部２８は、取付面２２又はインタラクティブゾーン３２における実際のノッキング面よりも減衰が小さい。一部の実施例においては、伝達部２８はセンサー３０へのデータ信号の伝達に影響を及ぼす。取付面２２に関連するセンサー３０の剛性部分は、伝達部２８を介する接触インタラクションの減衰を小さくする。伝達部２８は、取付面２２の材料と異なる可撓性、又は取付面２２と異なるのであれば接触インタラクションの表面と異なる可撓性、を備えた射出成形フレーム等の剛性材料により構成してもよい。バネ装着部（図示せず。）を備えた実施例においては、伝達部２８のバネ装着部は、同じではないにしても、取付面２２又は接触インタラクションの表面よりも減衰が小さい。センサー３０への伝達部２８を介した接触インタラクションの伝達のためのバネ装着部を用いると音又は振動の減衰が小さくなる。例えば、伝達部２８としてのバネ装着部は、接触インタラクションの音又は振動の減衰を小さくするように、ハウジング２０を取付面２２により近く、かつ、より強く保持することができる。センサー３０のデータ信号は、センサー３０への伝達のための取付面２２に関連するハウジング２０内のセンサー３０の関係を有しないシステムに比べて、明瞭度と正確性が向上する。センサー３０は、プリント回路基板３４’の両側のハウジング２０に関連して、安定させることができる。また、プリント回路基板３４’は、該プリント回路基板３４’の周囲の複数の点で保持してもよいが、これには１２０度又は９０度の間隔で配設したブラケットが含まれる。センサー３０は、取付面２２からの搖動と振動とを防ぎ、該センサー３０が取付面２２に対し正しい関係を維持するように、所定の位置に保持される。
【手続補正４】
【補正対象書類名】明細書
【補正対象項目名】００４４
【補正方法】変更
【補正の内容】
【００４４】
制御システム１０における端末装置５０は、スイッチ５０’’’を有するテレビジョン、ステレオ、コーヒーマシーン等の器具である。また、端末装置５０は、ソフトウェアを実行する装置、及びサーモスタット、ファン、照明器具等のスイッチ５０’を有する光又は気候の調整器であってもよい。端末装置５０の活動は端末装置５０による。その活動は特定の端末装置５０独自のものである。ジェスチャープロファイル９０と関連するコマンドは特定の端末装置５０に関するものである。テーブルトップに対する２回のノックは、制御システム１０により、テレビジョンのチャンネルを変更するコマンド、サーモスタットの温度を下げるコマンド、あるいは、コンピュータのオンラインカレンダーソフトウエアプログラムのエントリーを行うコマンドに変えることができる。制御システム１０は、複数の端末装置５０、５０’’に使用することもできる。あるコマンドのジェスチャープロファイル９０は、特定の端末装置５０の活動に独特のものである。センサー３０からのコマンドを受けるために、二つ以上の端末装置５０をサーバー４０に接続することもできる。
【手続補正５】
【補正対象書類名】図面
【補正対象項目名】図１
【補正方法】変更
【補正の内容】
【図１】
2018506940.tif 000001
【手続補正６】
【補正対象書類名】図面
【補正対象項目名】図４
【補正方法】変更
【補正の内容】
【図４】
2018506940.tif 000002